(57)【要約】  本発明は、排出された分泌物を収容することができる可撓性バッグを備え、上述のバックは、虚脱防止装置を備え、一方側が防護蓋を有する「Ｔ」バルブに連結され、他方側が、ハウジングハウジングに取り付けられたエラストマー材料のワンピースの円形状のコアから構成された流量を制御する逆流防止バルブと連結されたシステムであって、上述のコアが、コアの円形本体の境界部に径方向ロッドによって連結された中央プラグを有し、上述のコアが入口及び排出口の２つの通路のみを有するハウジングの中で使用されたとき、上述のバルブは、一方向バルブを構成する。ハウジング内には、上述のシステムは、凝血塊を細分する装置を入口に備え、コアの最大開口点から始まる閉塞防止装置を更に備える。【選択図】図８
2020527096.tif 000002
【特許請求の範囲】
【請求項１】
虚脱防止装置（９）を有する排出された分泌物を収容することができる可撓性バッグ（８）を備え、前記可撓性バッグ（８）は、一方側が防護蓋（２１）を有する「Ｔ」バルブ（１０）に連結され、他方側が、エラストマー材料のワンピースの円形状のコア（２）から構成され、ハウジング（３）に固定された流量制御逆流防止バルブ（１）と連結された縦隔ドレナージシステムであって、前記コア（２）が、当該コアの前記円形本体の境界部（６）に径方向ロッド（５）によって連結された中央プラグ（４）を有し、前記コア（２）は、二方向ハウジング、入口（７）及び排出口（７’）の中で使用され、前記バルブ（１）は、一方向バルブで構成されている、
ことを特徴とする縦隔ドレナージシステム。
【請求項２】
前記可撓性バック（８）が、固定および輸送用のハンドル（１１）を更に有する、
ことを特徴とする請求項１に記載の縦隔ドレナージシステム。
【請求項３】
前記虚脱防止装置（９）が、入口コネクタ（１２）と流路システム（１３）とを備え、前記流路システム（１３）は、前記可撓性バック（８）の虚脱及び前記バルブ排出口（１）の閉塞を防ぎ、更には、雌ルアーコネクタ（１４）を有する空気排出口及び前記雌ルアーコネクタ用の防護蓋（１５）を有している、
ことを特徴とする請求項１に記載の縦隔ドレナージシステム。
【請求項４】
前記逆流防止バルブに連結され、閉塞鉗子（１７）を備えたミルキングの処置を可能にするように可撓性材料で作られたドレナージ管（１６）がある、
ことを特徴とする請求項１に記載の縦隔ドレナージシステム。
【請求項５】
前記ドレナージシステムをあらゆるサイズのドレーンに連結するテーパー目盛コネクタ（１８）と、シリンジアクセス用の針なしバルブを備える雌ルアー排出口を有する「Ｔ」コネクタ（１９）とを備え、前記ドレナージ管（１６）の吸引と洗浄を可能にする、
ことを特徴とする請求項１に記載の縦隔ドレナージシステム。
【請求項６】
前記虚脱防止装置（９）が、前記可撓性バック（８）の裏面と前記吸入管（１６）の間のスペースを確保するように前記装置の基部から立ち上がる上下方向壁（２２）により形成される流路システム（１３）を備える、
ことを特徴とする請求項１に記載の縦隔ドレナージシステム。
【請求項７】
標準的なルアー空気排出口（１４）で前記虚脱防止装置（９）は、前記逆流防止バルブ（１）と同様に、第２のバルブ（２３）を受けることができ、自動開口空気排出口を設けるように構成されている、
ことを特徴とする請求項１に記載の縦隔ドレナージシステム。
【請求項８】
前記虚脱防止装置（９）の前記空気排出口に取り付けられた他の漏出防止バルブ（２４）を代替的に有し、このバルブに前記プラグの頂部が前記バルブ排出口の近くに位置決めされている、
ことを特徴とする請求項１に記載の縦隔ドレナージシステム。
【請求項９】
前記ハウジング（３）の前記入口（７）が、十字形の刃から構成される凝血塊細分化装置２５を有する、
ことを特徴とする請求項１に記載の縦隔ドレナージシステム。
【請求項１０】
前記ハウジング（３）が、前記コア２の最大開口点の細長い刃から構成される閉塞防止装置（２６）を有する、
ことを特徴とする請求項１に記載の縦隔ドレナージシステム。
【発明の詳細な説明】
【技術分野】
【０００１】
本発明は、感染過程、外傷、手術処置などから生じる、気体と液体と固体（例えば、凝血塊）とを、患者の縦隔または胸腔スペースから取り除くための縦隔または胸腔ドレナージ収集システムに関する。
【背景技術】
【０００２】
縦隔ドレナージコレクターは、胸部手術及び／または心臓手術に使われる病院医療装置であり、胸腔から液体物及び／または気体物を排出することを意図している。胸腔ドレナージ及び胸腔穿刺術は、集中治療室において、胸腔合併症の治療及び診断のそれぞれにおいて、頻繁に行われる処置である。
【０００３】
これらの装置は、流体ドレナージのために設計されたことに加えて、胸腔または心膜出血、膿胸、血胸、気胸からのドレナージ分泌物の量やタイプを測定することによって制御を可能にしている。縦隔または胸腔ドレナージ収集システムは、一方向バルブに基づいた水中サイフォンの理論が使用され、閉鎖胸腔ドレナージまたは水封式ドレナージとも呼ばれる。
【０００４】
水中サイフォンまたは水封は、気胸が開く事態、即ち大気圧が胸腔（心膜または縦隔腔）に流入するのを防ぎ、大気圧に対して負圧となるように、胸郭内の圧力のバランスを保つ。
【０００５】
本発明は、本発明を概略的かつ限定しない状態で表した添付の図面により、よく理解されるだろう。
【図面の簡単な説明】
【０００６】
【図１】先行技術の縦隔ドレナージ装置の概略図である。
【図２】先行技術の吸引ドレナージシステムの概略図である。
【図３】先行技術の収集ボトルに浸されたロッドまたは液体を有さない収集システムの概略図である。
【図４】先行技術の３つのボトルを有する収集システムの概略図である。
【図５】先行技術のドレナージシステムの概略図である。
【図６】先行技術の装置の変形例である。
【図７】本発明で使用される逆流防止バルブの概略図である。
【図８】本発明のシステムの概略図である。
【図９】本発明による虚脱防止装置の概略図である。
【図１０】自動開口空気排出口を提供するように構成された本発明による逆流防止バルブの概略図である。
【図１１Ａ】本発明に使用される逆流防止バルブの作動の概略図である。
【図１１Ｂ】本発明に使用される逆流防止バルブの作動の概略図である。
【図１１Ｃ】本発明に使用される逆流防止バルブの作動の概略図である。
【図１２】空気排出口に構成された逆流防止バルブ（２３または２４）を有するドレナージシステムの概略図である。
【図１３】本発明で使用される改良版逆流防止バルブの概略図である。
【図１４】バルブ入口コネクタにある凝血塊細分化装置及びバルブ排出口コネクタにある閉塞防止装置の詳細を示す、バルブの概略図である。
【図１５】閉塞防止装置が最大開口位置を超えるようなバルブの変位を防ぐように作用している活発なミルキングの状態を表した本発明の改良版逆流防止バルブの概略図である。
【発明の概要】
【発明が解決しようとする課題】
【０００７】
（従来技術）
図１は、２本のコネクタ（Ｃ及びＤ）と空気取入れ口（Ｅ）とブリーザチューブ（Ｆ）とを有する蓋（Ｂ）を備える剛体のボトル（Ａ）から成る先行技術のシステムを表す。これらコネクタの一方が、管（Ｈ）を通じてチェスト管（Ｇ）に連結され、他方が大気へ開放されている。システムが動くためには、ボトルは、ブリーザチューブ排出口の上方少なくとも２ｃｍの水位になるまで、水封または塩水（Ｉ）を有しなければならない。胸部または胸腔内に挿入された後にドレナージ管によってこの構成に連結されたチェスト管が、この構成に対し追加される。
【０００８】
水封またはサイフォンは、胸膜への一方向内容物流出バルブ輸出管として作用し、腔に入っている液体または気体は、重力により取り除かれる。流れは上方のコンパートメントから下方のコンパートメントへ生じ、剛性収集ボトルは、気胸が生じないように患者より低い位置に保持されなければならない。
【０００９】
この装置は診察に広く使用されるが、ボトルを患者の胸腔または縦隔腔より低い位置にしなければドレナージできないというような、いくつかの問題がある。また、患者の胸腔へのボトル内容物のサイフォン作用が生じ、深刻な結果を招きやすい。
【００１０】
管の排出口が水封液体内に沈んだ状態で、ボトルを直立ポジションに保たなければならず、そうでなければ、空気が患者の胸腔内に流入し、気胸の原因となる。
【００１１】
ドレナージを可能にするためには、ボトルの蓋が空気取入れ口を有しなければならず、したがって、ボトルの内容物は、外気と接触し、汚染を受けやすい。加えて、患者の胸腔の内圧のため、患者の呼吸に合わせて上下する流体の柱がドレナージ管内に形成される。それ故に、ボトルの内容物が汚染された場合、ドレナージ管の汚染、その結果、患者の汚染が生じることがある。
【００１２】
水封は、空気が胸腔に流入するのを防ぐ一方向バルブとして作用するが、管を通じた流体の逆流を防ぐようには作用しない。この機能のため、液体推移は、気体流出ブリーザチューブの排出口より少なくとも２ｃｍは上方になければならない。したがって、ドレナージを生じさせるためには、腔内の圧力は、管排出口の上方の液体柱よりも高くなければならない。ドレナージが生じると、水位は増加し、ドレナージをより難しくする。
【００１３】
この影響を少なくするために、医療専門家は、しばしばボトルを周期的に空にし、中の流体を交換する。しかし、このような処置は、追加の仕事を生み、不正確に処置された場合、気胸や、排出された液体の逆流や、出血や、汚染のような種々の問題をもたらすため、患者に大きなリスクを提供し、水位が上がったときは必ずこの処置を行わなければならず、専門家による継続的な警戒に対するニーズが生まれている。更には、水封管の排出口の液体中により圧力がまだ正圧である間はドレナージが停止してしまうため、胸腔内の通常の圧力は４ｍｍＨｇから８ｍｍＨｇであるが、水封のため、これらの値に届くことはない。したがって、腔内が依然として正圧であることによってドレナージが妨げられているため、ドレナージが完了しない。
【００１４】
これらすべての問題により、水封ドレナージは、継続的なケア及び注意が必要であり、処置中、患者は入院させられる。加えて、この装置は、患者の移動をかなり妨げ、患者の退院も妨げる。
【００１５】
ドレナージを促進させる代替手段として、医療専門家が、鉗子を使って、患者からボトルへ繋がれたドレナージ管に沿って、鉗子を締め付けたりスライドさせたりして、一時的に負圧を発生させるミルキングとして知られる処置を行うことが一般的である。しかし、この処置は、多くの身体的な努力を要求することに加えて、鉗子が開放されるとすぐにシステムの圧力が外気と等しくなり、負圧がなくなるため、非常に非効率である。
【００１６】
更に、水封液体柱の影響を最小にし、逆流防止効果を改良するために、最大３つのボトルを吸引ドレナージシステムに使うことがある。
【００１７】
図２は、２つのボトルＪとＫのセットを表し、そのうちの一方のボトルが必然的に一方向バルブとして機能し、第２のボトルが、２つのボトル間の液体柱の違いに応じた継続的な吸引源により胸腔内のスペースにかけられた負圧の量を監視する。
【００１８】
図３は、収取ボトル内で水没されない即ち液体ロッドがない胸腔ドレーンに連結された収集装置の別のタイプであり、継続的な外傷性の出血の状況下で自己輸血を目的に血液収集に使用される。
【００１９】
３つのボトルシステム（Ｌ、Ｍ、Ｎ）は、２つのボトルシステムのように、継続的な吸引発生源（図示せず）を必要とする図４に示されている。第１の収集ボトル（Ｌ）は吸引ドレナージと干渉しない。第２の収集ボトル（Ｍ）は、１方向バルブとして作用し、第３のボトル（Ｎ）は、システム上に作用する吸引を制御する。吸引発生ソースは、水没した水封ロッドの深さの違いに左右される。
【００２０】
ドレナージボトルが、図５に示すように、収集室と、水封室と、吸引制御室とを備える単一システムに取って代わる、より近代的なドレナージシステムも更に存在する。しかし、より改良されたにも関わらず、作動の原理及び技術的問題と感染にさらされる患者の発生は、上述した他の装置と依然として同じである。
【００２１】
したがって、図２ないし図４のような、２ボトルまたは多数ボトルのモデルは、単一ボトルのモデルの問題のいくつかを解決するが、手順の複雑性や、コストの増加や、患者の歩行制限や、圧力の変化及び損失などのバキュームネットワーク使用に関するリスクに関連した他の問題を生み出すことが考察されている。図５に表されたモデルは、コストが高いことに加え、手順の複雑性や、コストの増加や、患者の歩行制限や、圧力の変化及び損失などのバキュームネットワークの使用に関するリスクのような同じ問題を生じやすい。
【００２２】
図６は、複数の剛性ボトル（Ａ）の代わりに複数の可撓性バック（Ｐ）を使用し、水封（Ｉ）の代わりに逆流防止バルブ（Ｑ）を使用することによってこれらの問題のいくつかを解決しようとした装置を表している。しかし、これらの装置は後述するようないくつかの問題を更に有している。
【００２３】
これらの装置の問題の１つは、ドレナージシステムで使用する逆流防止バルブが、低開口圧を有しなければならず、特に低い圧力で逆流が生じないことである。これらの装置は、ダックビルタイプの逆流防止バルブを使用している。このタイプのバルブを用いると、低い開口圧と逆流が生じないという特徴の両方を同時に満たすことは実質的に不可能であり、設計仕様書においてどちらか１つを選ばなくてはならない。図１ないし図５に示した装置では、低い逆流特徴が選ばれている。したがって、これらのバルブは、水封と比較したときは高い開口圧を有する。よって、患者に大きな移動を許容する一方、これらの装置は治療を長引かせ、より長い間ドレーンを付けたままにすることを患者に要求する。このタイプの装置が有するもう１つの共通する問題は、感染、凝血及びバルブの効率の閉塞及び損失のような問題を導く可能性のある、循環の結果として生じる凝血塊を有するバルブ周辺の血液蓄積である。加えて、患者からの凝血塊はバルブの内側に蓄積され、バルブが完全に閉鎖することを妨げ、逆流及び空気の吸い込みの原因となる。
【００２４】
高開口圧の問題を解決するために、バキューム吸引を使用することができるが、これらのシステムに可撓性バックを使用した場合は、バキューム吸引の使用は不可能である。もう１つの特徴は、ミルキングであるが、これらのバルブは、バキュームを維持するほど効率的でなく、水封と同様、ミルキングによる負圧の発生は一時的である。
【００２５】
これらの装置に関するもう１つの問題は、剛体ボトルと比較したときにコストが高いことである。加えて、これらの装置は一般的に、気胸または血胸ドレナージの処置用に設計され、同時に双方の処置に使用することができないという使用上の制限がある。これは、血胸を有する患者にとって、例えば、気胸を発現すること、あるいは、気胸を有する患者にとって、時折出血することは一般的であるという事実が説明されている。これは、気胸の場合に求められる空気排出口のない閉鎖したバッグを使用するような装置の使用を制限する。また、気胸用に改良された装置では、出血した場合には、リザーバが小さすぎ装置の使用を実行できなくなる。
【００２６】
加えて、可撓性バックは、バッグ入口管を虚脱または閉塞し、配置によっては、実行すべきドレナージを弱める場合がある。
【００２７】
これらの考察は、上述の先行技術の装置にある問題を明確に解決、または少なくとも劇的に最小化するシステムの製作に対するニーズを導く。したがって、外部バキュームネットワークから独立し、患者の移動を制限せず、過度に重荷となる手順なく低い感染リスクを提供する継続的な実行システムが、当業者とって大変望まれている。
【課題を解決するための手段】
【００２８】
本発明は、厳密に、上述した先行技術のドレナージ装置の問題を解決することを目的とする。
【発明を実施するための形態】
【００２９】
本発明は、したがって、同出願人による特許出願ＷＯ２０１５０２４８１の対象物のような可撓性バッグと、車輪式流量制御逆流防止バルブと、を備える縦隔ドレナージ収集システムに関する。図７ないし図１５は、本発明によるシステムの要素を表している。
【００３０】
図７は、本発明による縦隔ドレナージシステムでの使用のためにバルブを理想にする特徴を有する流量制御逆流防止バルブ（１）を概略的に示している。上述のバルブ（１）は、ハウジング（３）またはバルブ（１）の本体（３）に固定されたエラストマー材料のワンピースの円形状のコア（２）を備える。上述のコア（２）は、円形体のそれ自身の境界（６）に径方向のロッド（５）によって連結された中央プラグ（４）を収容する。したがって、上述のコア（２）は、入口（７）と排出口（７’）の２方向のハウジングの中で使用され、上述のバルブ（１）は、一方向バルブから構成されている。
【００３１】
更に、上述のバルブ（１）は、非常に低い開口圧を可能にし、逆流が生じず、血液を凝固、蓄積させる滞留領域がなく、縮小された大きさや内容量を有しているという利点がある。
【００３２】
バルブ（１）のハウジング（３）は、ドレナージ機能のよりよい操作を可能にするように更に改良されてきている。改良の１つは、バルブ（１）のハウジング（３）の入口（７）での凝血塊細分化装置（２５）の追加である。この凝血塊細分化装置（２５）は、図１３、及び詳細には、凝血塊細分化装置（２５）の平面図である図１４に示すように、十字形の刃から構成されている。これらの刃は、患者から生じ、結果として、コア（２）の複数の径方向のロッド（５）の間で補足され、バルブ（１）の操作性を損なう可能性のある凝血塊をカットする。この改良により、患者から生じる凝血塊による機能不全の可能性は大幅に減らされる。もう１つの改良は、図３及び、図１４に詳細を示すような、バルブハウジング（３）または本体内の閉塞防止装置（２６）であり、上述の閉塞装置（２６）は、コア（２）の最大開口点から始まり、排出流（７’）に向かう刃によって形成され、図１５に示すような管の活発なミルキングの際に生じる場合があるコア（２）の最大開口部の位置を超える変位を防ぐ隔壁を生成している。したがって、閉塞防止装置（２６）は、バルブ（１）の流出をより安全にさせることを確保している。図１４は、更に閉塞防止装置（２６）の平面図を表している。
【００３３】
図８は、ドレナージシステムの全体を表しており、虚脱防止装置（９）を有し、バッグの内容物の処理に使用され、防護蓋（２１）を有する「Ｔ」バルブ（１０）などに連結された、排出された分泌物を収容することができる可撓性バッグ（８）と、反対側に設けられた、車輪式高効率逆流防止バルブ（１）とが描かれている。上述の可撓性バック（８）は、ドレナージシステムの高い可撓性及び実行可能性を与えるように特に改良された、固定および輸送用のハンドル（１１）を更に有している。
【００３４】
虚脱防止装置（９）は、入口コネクタ（１２）と、可撓性バッグ（８）の虚脱及びバルブ排出口（１）の閉塞を防ぐ流路システム（１３）を有している。虚脱防止装置（９）は、サンプリングポイント及び雌ルアーコネクタ用の防護蓋（１５）としても使用することができる雌ルアーコネクタ（１４）を有する空気排出口を更に有している。
【００３５】
高効率逆流防止バルブ（１）には、患者に対してより利便性と快適性を提供し、閉塞鉗子（１７）でのミルキング処置を可能にするために可撓性材料で作られたドレナージ管（１６）が取り付けられている。テーパー目盛コネクタ（１８）は、本発明によるドレナージシステムとあらゆるサイズのドレーンの連結を提供し、シリンジアクセス用の針なしバルブ（２０）を有する雌ルアー排出口を有する「Ｔ」コネクタ（１９）は、凝血塊閉塞の場合にドレナージ管（１６）を吸引し、洗浄することを可能にしている。
【００３６】
本発明によるドレナージシステムによって導入された全ての改良点の中で、特筆すべき点は、図９に詳細が表された、上述の虚脱防止装置（９）である。
【００３７】
上述の図９によれば、虚脱防止装置（９）は、防護蓋（１５）を有する標準的な雌ルアー空気排出口（１４）を有し、標準的な雌ルアー空気排出口（１４）は、患者が空気漏れを示したときに空気を流出させることができる、あるいは、サンプルを収集するシリンジで、可撓性バッグの内容物の吸引さえも可能にするように使用される。上述の虚脱防止装置（９）は、図８に示す可撓性バック（８）の裏面と吸入管（１６）の間のスペースを確保するように装置の基部から立ち上がる上下方向壁（２２）により形成される流路システム（１３）を有し、可撓性バック（８）が上述の虚脱防止装置（９）で覆われた範囲で虚脱せず、高性能逆流防止バルブ（１）の排出口に連結された入口コネクタ部分（１２）が、自身の位置にかかわらず閉塞されないことが確保されている。更には、上述の虚脱防止装置（９）は、可撓性バック（８）からの空気流出の明確な通路を確保している。
【００３８】
オプションとして、虚脱防止装置（９）は、図１０に示すように、自動開口空気排出口を設けるように構成された逆流防止バルブ（１）の排出口と同様に、装置（９）の標準的なルアー空気排出口（１４）で第２のバルブ（２３）を受けてもよい。
【００３９】
このバルブ（２３）は虚脱防止装置（９）の空気排出口（１４）内に直接はめ込むことができる。上述のバルブ（２３）は、可撓性バッグ（８）内部に圧力がないとき、空気排出口を閉めた状態を保つ。空気が漏れ、可撓性バック（８）内部の空気圧が増大したときには、上述のバルブ（２３）は自動的に開口し、空気を排出させ、ドレナージすることが可能なように、内圧を軽減させる。同様に、逆流防止バルブのように、上述のバルブ（２３）は、空気が可撓性バック（８）に流入するのを防止し、排出された内容物を滅菌且つ汚染のない状態に保つ。
【００４０】
加えて、上述のバルブ（２３）の変形例であり、図１１に示されているバルブ（２４）は、本発明による用途であるドレナージシステムにおいて、可撓性バック（８）内部の圧力が急激に増大したとき、あるいは急速な流れが生じたときに一時的に起こる状況において、バッグの内容物があふれる事態を防ぐ閉鎖に関して特別な特徴を有している。可撓性バッグがいっぱいで、何らかの理由で圧縮され、これらの状況が排出された内容物の漏出を導く恐れがあるとき、これらの事態が発生することは明白である。即ち、バルブ（２４）は、空気を排出させるが、可撓性バッグ（８）内に入った液体は排出させない。この特別な特徴は、内側バルブコンパートメント（２４）の異なる設計により可能となる。図１１Ｂに示すように、プラグと排出口の間の空間が空気の排出のために十分であるようにバルブプラグの頂部がバルブの排出口に非常に近いことは注目すべき点であるが、液体流が増大した場合、図１１Ｃに示すように、バッグの内容物の不慮の漏出を防ぐために、バルブが上昇し、排出口を閉じる。他のバルブ（２３）の場合、内側バルブコンパートメントの設計は、メインバルブ（１）の設計と類似しており、高空気流がこれらの間を通ることを許容する一方で、如何なる状況下でも排出障害が生じないことが確実になるように設計されている。したがって、このバルブ（２３）はバッグの内容物の不慮の流出を防止せず、したがって、このバルブが使われたときは、バッグの内容物が漏出するのを防ぐためにバッグが直立ポジションであることが求められる。しかし、このバルブ（２３）は標準的な雌ルアー排出口コネクタを有しており、例えば患者の移送中に、バッグの内容物が漏出するのを防ぐために、防護蓋（１５）で閉じることができる。
【００４１】
図１１Ａないし図１１Ｃは、バルブ（２４）に関連した前述の状況の概略図を表している。図１１Ａは、例えば、閉鎖ポジションのような休止状態にあるバルブ（２４）を示している。図１１Ｂは、空気通過のために開放ポジションにあるバルブ（２４）を示し、図１１Ｃは、高入口圧力により、液体の排出を防ぐ閉鎖ポジションにあるバルブ（２４）を示している。
【００４２】
本発明による縦隔ドレナージシステムの特徴は、可撓性バッグ（８）の確認とメンテナンスの必要性が減り、空気の漏出のときでもドレナージを確保でき、可撓性バック（８）の内容物を不慮にこぼすことから患者を保護することができるため、特に在宅療法治療に興味深いものとなっている。加えて、バルブ（２３またはバルブ２４）がシステムを閉鎖した状態を保ち、透過性ポーチの内容物が周囲の空気から隔離されるため、病院における治療の場合、早期の術後時間に収集された血液は、患者自身に再注入することができる。
【００４３】
虚脱防止装置の空気排出口に取り付けられた構成された逆流防止バルブ（２３または２４）を備える完全なシステムは、図１２にも表されている。
【００４４】
上述の説明により、縦隔または胸隔に携わる当業者は、本発明どおりに発展されたシステムが提供されるなど、次の当面の利点を認めるだろう。患者の胸腔からの全ての分泌物のドレナージを確保する極めて効率的なバルブを有するシステム、特別な配慮なしで患者を安全に移動させることができ、ストレッチャーで運ぶことさえもできる完全にポータブルなシステム、メンテンナンスが不要なシステム、空気が漏出した場合に、随意の逆流防止バルブを用いて空気を排出させ、滅菌可撓性バッグの内容物を汚染させず、可撓性バッグの内容物が不慮にこぼれるのを防ぐシステム、実験室解析用の分泌物サンプルの収集を可能にするシステム、患者を危険にさらすことなく可撓性バッグの内容物を排出させることができるシステム、必要があればコネクタを取り外し、新たな可撓性バッグへとコネクタを付け替えることで簡単に可撓性バッグの交換が行えるシステム、バルブの効率性による、軽度のミルキング処置で、患者の胸腔内の負圧の生成を可能にするシステム、あらゆるサイズの共通的な胸腔への連結を可能にし、ドレナージパイプの外側に取り付けられたバルブの中を針なしシリンジのみを使用して凝血塊閉塞の場合の閉鎖システムにあるドレナージ管を吸引するあるいは洗浄することを可能にするシステムであり、バルブ１のハウジング３の入口７にあり、患者から生じる凝血塊が原因のバルブの機能不全を防ぐ凝血塊細分化装置２５、コア２の最大開口点から始まり排出流７’に向かう細長い刃から構成され、最大開口位置を超えるバルブプラグの変位を防ぎ、結果的にドレナージ管の活発なミルキングにおける自身の破裂を防ぐバルブ１のハウジング３内の閉塞防止装置２６を備えるという利点がある。
【図１】
2020527096.tif 000003
【図２】
2020527096.tif 000004
【図３】
2020527096.tif 000005
【図４】
2020527096.tif 000006
【図５】
2020527096.tif 000007
【図６】
2020527096.tif 000008
【図７】
2020527096.tif 000009
【図８】
2020527096.tif 000010
【図９】
2020527096.tif 000011
【図１０】
2020527096.tif 000012
【図１１】
2020527096.tif 000013
【図１２】
2020527096.tif 000014
【図１３】
2020527096.tif 000015
【図１４】
2020527096.tif 000016
【図１５】
2020527096.tif 000017
【国際調査報告】
2020527096.tif 000018
2020527096.tif 000019
2020527096.tif 000020
2020527096.tif 000021